(57)【要約】【課題】  コールログ機能を有するデジタル音声記録装置を提供する。【解決手段】  デジタル音声記録装置１０３はコールログ情報の自動的な検出／捕捉及びそれを用いて音声信号を記録するために外部回線１３３だけではなく電話機１３１にも接続される。さらにデジタル化された音声信号は、デジタル音声記録装置１０３を介してメモリカードなどの携帯記憶媒体１１７に保存される。したがって、データ記憶のさらに大きな容量及びさらに高い柔軟性が提供され、コールログのファイリングは、ダイアログ時間が計時されることにより適切に管理される。【選択図】  図１
0003107119.tif 000002
【実用新案登録請求の範囲】
【請求項１】
記録装置及び外部回線及び電話機に結合する呼検出モジュールを備えるデジタル音声記録装置であって、前記呼検出モジュールが、
前記外部回線及び前記電話機からの受信呼／発信呼の情報を検出及び捕捉し、検出された結果に従って起動信号及び前記捕捉された受信呼／発信呼情報を前記記録装置に送信する検出／捕捉回路を備え、
前記記録装置が、
携帯記憶媒体と、
タイミング機能が検出起動信号によりトリガされ、コールログが作成されるタイミング回路と、
コールログ及び受信呼／発信呼情報を受信し、前記コールログ情報及び前記受信呼／発信呼情報をアーカイバルフォーマットで携帯記憶媒体に保存する、前記携帯記憶媒体と前記タイミング回路に電気的に結合されるマイクロコントローラとを備えることを特徴とするデジタル音声記録装置。
【請求項２】
前記受信呼／発信呼情報が電話番号及び受信／発信命令を備えることを特徴とする請求項１記載のデジタル音声記録装置。
【請求項３】
前記コールログがダイアログ開始／終了時刻、呼長及び日付を備えることを特徴とする請求項１記載のデジタル音声記録装置。
【請求項４】
前記携帯記憶媒体が、シリコン記憶媒体、光記憶媒体、及び磁気記憶媒体から構成されるグループから選択される媒体であることを特徴とする請求項１記載のデジタル音声記録装置。
【請求項５】
前記呼検出モジュール及び前記記録装置が、電話機または外部回線によって送信されるユーザの音声信号、前記検出起動信号、前記受信呼／発信呼情報、及び前記マイクロコントローラによって指定される作動命令を送信する第１の拡張インタフェース及び第２の拡張インタフェースをそれぞれさらに備えることを特徴とする請求項１記載のデジタル音声記録装置。
【請求項６】
ケーブル伝送方法または無線伝送方法が前記第１の拡張インタフェースと前記第２の拡張インタフェース間で実行されることを特徴とする請求項５記載のデジタル音声記録装置。
【請求項７】
前記呼検出モジュールが、さらに、
前記電話機に結合され、アナログ形式の前記ユーザの音声信号及び発信呼情報を送信する電話インタフェースと、
前記外部回線に結合し、前記電話インタフェースに電気的に結合し、アナログ形式の前記ユーザの音声信号及び受信呼情報を送信する外部回線インタフェースと、
前記電話インタフェースと、前記外部回線インタフェースと、前記検出／捕捉回路と、前記第１の拡張インタフェースとに電気的に結合し、アナログ形式の前記受信呼／発信呼情報及び前記ユーザの音声信号を受信し、デジタル化のために前記第１の拡張インタフェースを介して前記受信呼／発信呼情報を前記デジタル音声記録装置に送信する音声変換回路とをさらに備えることを特徴とする請求項５記載のデジタル音声記録装置。
【請求項８】
前記デジタル音声記録装置が、さらに、前記マイクロコントローラと前記携帯記憶媒体に電気的に結合されるコンピュータ伝送インタフェースを備え、外部コンピュータシステムまたは外部記憶媒体と通信し、前記外部コンピュータシステムまたは前記記憶媒体に前記情報を記憶することを特徴とする請求項１記載のデジタル音声記録装置。
【請求項９】
前記記録装置が、さらに、
携帯記憶媒体に記憶される前記ユーザの音声信号を再生するための音声再生回路と、
外部回線から入力するアナログ音声信号を直接的に受信するために前記マイクロコントローラ及び前記第２の拡張インタフェースに電気的に結合する音声入力インタフェースと、
前記マイクロコントローラ、前記音声再生回路、及び前記音声入力回路に電気的に結合するアナログ／デジタル変換回路（ＡＤＣ）とをさらに備えることを特徴とする請求項５記載のデジタル音声記録装置。
【考案の詳細な説明】
【技術分野】
【０００１】
本考案は、デジタル音声記録装置に関し、特に自動コールログ機能を有するデジタル記録装置に関する。
【背景技術】
【０００２】
現在、市場で利用可能なコールログ装置は、概して磁気記録テープと連動し、アナログ形式で会話の内容を記録する。磁気テープ記録へのアクセスは容易であり、磁気テープ記録の使用は取扱が容易であるが、記録スペースは実質的に限定されている。したがって、磁気テープを頻繁に変更あるいは磁気テープ上のデータを消去する必要があり、ユーザにとって面倒である。
【０００３】
他方、従来のアナログ磁気テープはダイアログから音声情報だけを記録することができるが、受信／発信電話番号または通話時間／日付は記録されない。これはさらなる参照を施す際においては不利である。その上、磁気テープに記録されるデータが消える又は経時的に劣化し得るというリスクがある。
【考案の開示】
【考案が解決しようとする課題】
【０００４】
現在のデジタル留守番電話機は２つの主要なファミリに分類される。第１のレコーダファミリは電話回線が接続されるデジタルレコーダとして実現される。この第１のレコーダファミリの欠点は、手動操作は使用可能であるが、それらが受信呼を自動的に検出、相応して記録機能を起動できないという点である。第２のレコーダファミリもデジタルレコーダとして実現されるが、メモリ記憶容量は従来のアナログレコーダと同様である。他方、内蔵記憶装置付きのこのレコーダファミリはコンピュータシステムへの伝送インタフェースに適合しない。その結果として、第２のレコーダファミリは、内蔵記憶装置が完全にロードされているときにはファイル管理及びバックアップを操作することができない。
【課題を解決するための手段】
【０００５】
前記技術を鑑みて、本考案は、記録装置及び呼検出モジュールを有する、コールログ機能を有するデジタルオーディオレコーダを提供する。呼検出モジュールは外部回線と電話機に結合され、受信呼の振動またはダイヤルトーンを検出するため、及び外部回線または電話機からの受信／発信電話番号を捕捉するための検出／捕捉回線を備える。検出起動信号及び捕捉されたデータは検出結果に従って記録装置に送信される。記録装置は携帯記憶媒体、タイミング回路、及び携帯記憶媒体とタイミング回路に電気的に結合されるマイクロコントローラを含む。タイミング回路が呼検出モジュールから検出起動信号を受信すると、それはタイミング機能を起動するため、及びダイアログ時間／日付を含むコールログを作成するために信号によりトリガされる。コールログはマイクロコントローラによって処理され、それに対する特定のアーカイバルフォーマットに基づいて携帯記憶媒体に記憶される。他方、携帯記憶媒体は、前記ダイアログファイリングデータ及びユーザからのデジタル音声信号を含む情報を記憶する。その結果として、本考案は受信／発信呼を検出することができ、音声録音機能を起動し、その結果各受信／発信電話番号及びダイアログ時間／日付が追加の参照及びファイリングのために記録される。さらに、情報は形態記憶媒体に記憶されるため、メモリ容量及び柔軟性は内蔵記憶装置により制限されることはない。
【０００６】
さらに、デジタル記録装置は、さらに、外部コンピュータシステムまたはさらに大きな容量を有する他の記憶媒体に結合するコンピュータ伝送インタフェースを含む。したがって、コールログ及び記録された音声信号は追加の管理、ファイリング及びバックアップのために携帯記憶媒体からシステムに転送される。
【０００７】
本考案は、さらにそれぞれアナログ音声信号を直接的に記録し、デジタル音声信号を再生するための音声入力回路及び音声再生インタフェースを開示する。
【考案を実施するための最良の形態】
【０００８】
図１を参照すると、図１は本考案の実施形態によるコールログ機能を提供するデジタル音声記録装置のブロック図を示している。デジタル音声記録装置１０１は記録装置１０３及び呼検出モジュール１４１を含む。外部回線１３３と電話機１３１に結合される該呼検出モジュール１４１は、ＣａｌｌｅｒＩＤ及びＤＴＭＦデコーダと同様に機能する受信呼振動またはダイヤルトーンを検出するための検出／捕捉回路１４９を含む。したがって、受信／発信電話番号及び発呼命令を含む受信／発信コールログが、外部回線１３３または電話機１３１から捕捉される。検出起動信号及び捕捉された情報は記録装置１０３に送信される。
【０００９】
呼検出モジュール１４１に結合される記録装置１０３は、携帯記憶媒体１１７、タイミング回路１１９、及び携帯記憶媒体１１７とタイミング回路１１９に電気的に結合されるマイクロコントローラ１０７を含む。このタイミング回路１１９は検出起動信号によりトリガされ、タイミング回路１１９のタイミング機能はそれにより起動される。ダイアログ開始／終了時刻及びダイアログ長／日付を含む情報が作成され、シリコン記憶媒体または、アーカイバルフォーマットに基づいて光記憶媒体などの携帯記憶媒体１１７、及び磁気記憶媒体等に記憶される。シリコン記憶媒体は、ＭＳ（メモリスティックカード）、ＳＤ（セキュアデジタルカード）、ＳＭ（スマートメディアカード）及びＣＦ（コンパクトフラッシュカード）のようなメモリカードを含む。光記憶媒体は、ＣＤ−Ｒ及びＣＤ−ＲＷ等の可燃性ディスクを含む。磁気記憶媒体は１．４４ＭＢ方式フロッピーディスクまたは携帯ハードディスクを含む。前述された携帯記憶媒体１１７は必要に応じて交換可能であるため、記憶媒体のメモリ容量は拡張される。
【００１０】
前述の呼検出モジュール１４１及び記録装置１０３は、それぞれ対応する第1の拡張インタフェース１４３及び対応する第２の拡張インタフェース１２１を含む。該２つのインタフェース構成要素は、例えばケーブルまたは無線方法を介して互いと信号を送信する。送信された信号は、電話機１３１と外部回線１３３の間で送信されるユーザ音声信号、検出／捕捉回路１４９により生成される検出起動信号と受信／発信コールログ、及び作業モード下のマイクロコントローラ１０７から与えられる命令を含む。やはり前記携帯記憶媒体１１７に記憶されるユーザ音声信号は対応するコールログファイルにリンクされる。
【００１１】
呼検出モジュール１４１は、さらに電話インタフェース１４７、外部回線インタフェース１５１及び検出／捕捉回路１４９と第1の拡張インタフェース１４３に電気的に結合される音声変換回路１４５を含む。電話回線インタフェース１４７は電話機１３１に結合され、音声変換回路１４５に電気的に結合されているが、外部回線インタフェース１５１は外部回線に結合され、電話インタフェース１４７と音声変換回路１４５に電気的に結合されている。該２つのインタフェース構成要素１４７と１５１は、ともにユーザの通信のためにユーザの音声信号をアナログ形式で送信する。ダイヤルトーン及び受信呼振動を含むアナログ信号も、第1の拡張インタフェース１４３を介して検出／捕捉回路１４９から検出起動信号を出力するための２つのインタフェース構成要素を介して送信される。検出起動信号は、記録装置１０３のタイミング回路１１９及びマイクロコントローラ１０７をトリガし、音声信号を記録する。さらに、検出／捕捉回路１４９及び記録装置１０３はアナログ信号のために書込みによる損害を受け、外部回線１３３または電話機１３１によって搬送される電圧レベルを圧倒する可能性がある。したがって、高い電圧レベルのアナログ信号は、通常、音声変換回路１４５により事前に変調され、例えば−５〜＋５Ｖ等の集積回路の一般的な電圧機能の範囲内に変調される。変調された信号は次に（後述する）追加のデジタル化のために第１の拡張インタフェース１４３を介して記録装置１０３に送信され、デジタル化情報及びコールログはその後マイクロコントローラ１０７によってファイリングされ、保存される。
【００１２】
本考案によるファイリングに適したデータフォーマットについて説明する。データフォーマットは前述した変換データ、開始／終了時刻、変換長、受信／発信呼命令及び／または電話番号、及びユーザの音声信号をどこに記録するのかを示すファイリングアドレスも含んでいる。したがって、ユーザはそこへのリンク装置を介して音声信号を要求することができる。ファイリングシステムは、追加の検索及び参照のために、例えば記録日付と呼番号に従って指定される。例えば、「０３１１２０００１．ｗａｖ」は２００３年１１月２０日に記録された最初のコールを指す。例えば以下の「０３１１２０，１４：００−１４：１０，１０ｍｉｎ，ＩＮ，（０２）８９１１１８３４１」等の情報は、２００３年１１月２０日の午後の２時の受信呼（ＩＮ）に相当し、電話番号は（０２）８９１１８３４１であり、ダイアログは午後２時１０分に終了して、１０分間継続した。ユーザがこの受信呼のコールログを参照するとき、このコールについてのすべての情報が明らかにされ、音声信号は要求時に再生される。
【００１３】
本考案の記録装置１０３はさらに、マイクロコントローラ１０７、携帯記憶媒体１１７、及び別の外部コンピュータシステム１５０に電気的に結合されるコンピュータ送信インタフェース１１５、あるいは例えばケーブル通信または無線通信を介してさらに大きなメモリ容量を有する他の記憶媒体を含む。コールログファイル及び音声信号は、追加の管理及びバックアップのために、このようにして携帯記憶媒体１１７から前述した外部システムに転送される。
【００１４】
さらに、記録装置１０３は、音声再生回路１０９（例えばスピーカ）、音声入力インタフェース（例えば、マイク）１１３、及びマイクロコントローラ１０７、音声再生回路１０９、及び音声入力インタフェース１１３に電気的に結合されるアナログ／デジタル変換回路１１１などの音声入力／出力構成要素を含む。音声再生回路１０９は、再生の前にアナログ／デジタル変換回路１１１を通してデジタル化された音声信号をアナログ信号に変換するためだけではなく、携帯記憶媒体１１７に記憶されるユーザの音声信号も再生する役割を果たす。音声入力インタフェース１１３は、外部アナログ音声信号を直接的に記録するためにマイクロコントローラ１０７及び第２の拡張インタフェース１２１にも電気的に結合される。記録されたアナログ音声信号は、アナログ／デジタル変換回路１１１によってデジタル音声信号に変換され、マイクロコントローラ１０７によって携帯記憶媒体１１７に保存される。さらに入力インタフェース１１３は第２の拡張インタフェース１２１及び呼検出モジュール１４１を介して外部回線１３３で別のパーティと通信するためにチャネルを提供し、その結果ローカルユーザは電話機１３１のハンズフリースピーカ構成要素と対応することができる。
【００１５】
さらに、音声再生回路１０９及び音声入力インタフェース１１３用のアナログ／デジタル信号変換に加えて、アナログ／デジタル変換回路１１１は前記呼検出モジュール１４１から変調済みのアナログ信号をデジタル化する役割も果たす。このようにして、マイクロコントローラ１０７はそれぞれバックアップのためにデジタル化されたデータを携帯記憶媒体１１７にまたは外部コンピュータシステム１５０に保存する、あるいは転送する。
【００１６】
本考案はそのある特定の実施形態に関して説明されてきたが、本考案の精神から逸脱することなく上記説明の実施形態に対する変形がなされ得ることは当業者にとって明らかであろう。したがって、本考案の範囲は、前記の詳細な説明によってではなく、添付の実用新案登録請求の範囲により定められるであろう。
【図面の簡単な説明】
【００１７】
【図１】本考案の実施形態によるコールログ機能を提供するデジタル音声記録装置の概略を示すブロック図である。
【符号の説明】
【００１８】
１０１  デジタル音声記録装置
１０３  記録装置
１０５  メモリ
１０７  マイクロコントローラ
１０９  音声再生回路
１１１  アナログ／デジタル変換回路
１１３  音声入力インタフェース
１１５  コンピュータ送信インタフェース
１１７  携帯記憶媒体
１１９  タイミング回路
１２１  第２の拡張インタフェース
１３３  外部回線
１３１  電話機
１４１  呼検出モジュール
１４３  第１の拡張インタフェース
１４５  音声変換回路
１４７  電話インタフェース
１４９  検出／捕捉回路
１５０  コンピュータシステム
１５１  外部回線インタフェース
【図１】
0003107119.tif 000003